(57)【要約】【課題】  被処理水の処理経路に、汚泥を分離する汚泥分離部と、汚泥を消化する汚泥消化部とを有する水処理装置において、汚泥の効率的な処理に資する技術を提供する。【解決手段】  排水処理装置１００において、嫌気濾床槽１１０から分岐した汚泥消化槽１３０は、好気消化部１３１において汚泥の好気性消化を促進するとともに、その好気消化部１３１の下流の嫌気濾床部１４１において濃縮処理を行うことによって汚泥の発生量を抑えるように構成される。【選択図】      図１
2005329374.tif 000002
【特許請求の範囲】
【請求項１】
汚泥を含む被処理水が流通する第１の処理経路と、前記第１の処理経路から分岐したのち当該第１の処理経路に合流する第２の処理経路と、前記第１の処理経路において被処理水中の汚泥を分離する汚泥分離部と、前記第２の処理経路において被処理水中の汚泥を消化する汚泥消化部と、前記汚泥分離部の汚泥を前記汚泥消化部へ移送する汚泥移送手段と、を有する水処理装置であって、
前記汚泥消化部は、エアによる散気を行う散気手段を有する好気性の好気領域と、前記好気領域の下流において当該好気領域と区画されるとともに、濾材が充填された嫌気性の嫌気領域を備え、前記好気領域において被処理水中の汚泥が好気性消化された後、その下流の前記嫌気領域において前記濾材によって汚泥の濃縮処理がなされ、当該濃縮処理後の水が前記第１の処理経路へ返送される構成であることを特徴とする水処理装置。
【請求項２】
請求項１に記載の水処理装置であって、
前記汚泥消化部は、前記好気領域において汚泥が好気性消化された後の水が、前記嫌気領域を上向流によって流通するように構成されていることを特徴とする水処理装置。
【請求項３】
請求項１または２に記載の水処理装置であって、
更に、前記汚泥分離部において汚泥が分離された後の水を好気処理する好気処理部と、前記好気処理部の好気汚泥を前記汚泥消化部へ移送する好気汚泥移送手段と、を備える構成であることを特徴とする水処理装置。
【請求項４】
請求項３に記載の水処理装置であって、
前記好気汚泥移送手段は、前記好気処理部の好気汚泥を第１の好気汚泥移送手段によって前記汚泥分離部のうち前記汚泥移送手段の上流へ移送し、更に第２の好気汚泥移送手段である当該汚泥移送手段によって前記汚泥消化部へ移送する構成であることを特徴とする水処理装置。
【発明の詳細な説明】
【技術分野】
【０００１】
本発明は、水処理技術に係り、詳しくは被処理水の処理経路に、汚泥を分離する汚泥分離部と、汚泥を消化する汚泥消化部とを有する水処理装置の構築技術に関するものである。
【背景技術】
【０００２】
従来、一般家庭等から排出される生活排水や、産業廃水等の汚水などの被処理水を処理する水処理技術が知られている（例えば、下記の特許文献１参照。）。
特許文献１の処理装置では、被処理水の処理経路に、汚泥を好気性消化する好気性消化槽が設けられ、この好気性消化槽において被処理水中の汚泥の好気性消化が行われるようになっている。
上記特許文献１には、汚泥を好気性消化する好気性消化槽を有する水処理装置の具体的な構成が提示されているが、被処理水中の汚泥の消化を行うこの種の処理装置においては、汚泥を効率的に処理する更なる技術に対する要請がある。
【特許文献１】特開２００２−２２４６９９号公報
【発明の開示】
【発明が解決しようとする課題】
【０００３】
本発明は、かかる点に鑑みてなされたものであり、被処理水の処理経路に、汚泥を分離する汚泥分離部と、汚泥を消化する汚泥消化部とを有する水処理装置において、汚泥の効率的な処理に資する技術を提供することを課題とする。
【課題を解決するための手段】
【０００４】
前記課題を解決するために、本発明が構成される。なお、本発明は、一般家庭等から排出される生活排水をはじめ、厨房排水、産業廃水等の各種の被処理水を処理する水処理装置の構築技術として好適に用いられる。
【０００５】
（本発明の第１発明）
前記課題を解決する本発明の第１発明は、請求項１に記載されたとおりの水処理装置である。
請求項１に記載のこの水処理装置は、被処理水が流通する第１の処理経路及び第２の処理経路、汚泥分離部、汚泥消化部、汚泥移送手段を少なくとも備える。
本発明の第１の処理経路は、汚泥を含む被処理水が流通する経路として構成され、この第１の処理経路に汚泥分離部が少なくとも配置される。
本発明の第２の処理経路は、第１の処理経路から分岐した後、当該第１の処理経路に合流する経路として構成され、この第２の処理経路に汚泥消化部が少なくとも配置される。すなわち、汚泥消化部は、第１の処理経路から独立した処理領域として構成される。なお、第１の処理経路から分岐して第２の処理経路に移流した水は、当該第２の処理経路において処理された後、再び第１の処理経路に返送される（戻る）こととなる。このとき、第２の処理経路において処理された水は、第１の処理経路のうち分岐前と同一の領域へ返送される構成であってもよいし、あるいは第１の処理経路のうち分岐前とは異なる領域へ返送される構成であってもよい。
本発明の汚泥分離部は、第１の処理経路において被処理水中の汚泥を分離する機能を有する。典型的には、濾材が充填された濾床や、バッフル等の固液分離手段（夾雑物除去手段）を用いて本発明の汚泥分離部を構成することができる。
本発明の汚泥消化部は、第１の処理経路から分岐した第２の処理経路において汚泥を消化する機能を有する。
本発明の汚泥移送手段は、汚泥分離部で発生した汚泥を汚泥消化部へ移送する機能を有する手段である。典型的には、エアリフト式のポンプ等のポンプ機構を用いて本発明の汚泥移送手段を構成することができる。これにより、第１の処理経路の汚泥分離部で発生した汚泥は、汚泥移送手段によって第２の処理経路の汚泥消化部へ移送される。
【０００６】
本発明では、特に、第２の処理経路の汚泥消化部が好気領域と嫌気領域を備える。この汚泥消化部では、好気領域において被処理水中の汚泥が好気性消化された後、その下流の嫌気領域において濾材によって汚泥の濃縮処理がなされ、当該濃縮処理後の水が第１の処理経路へ返送される構成になっている。
汚泥消化部の好気領域は、エアによる散気を行う散気手段を有する好気性の領域であり、この好気領域において汚泥の好気性消化が行われる。第１の処理経路の汚泥分離部で固液分離されある程度濃縮された状態の汚泥が好気領域に流入することとなるため、汚泥移送手段による移送量を低く抑えることができ、これにより、小容量の汚泥消化部であっても、当該汚泥消化部における所望のＨＲＴ（水理学的滞留時間）を確保することが可能となる。所望のＨＲＴを確保することによって、好気領域の被処理水中に分解可能な有機物の量が少なくなり、汚泥の好気性消化、すなわち汚泥の内生呼吸による自己酸化処理が促進されるため、好気領域において汚泥の減量を行うことが可能となる。なお、汚泥消化部における所望のＨＲＴは、流入汚泥の濃度等、汚泥の処理条件に基づいて適宜設定される。
一方、汚泥消化部の嫌気領域は、好気領域の下流において当該好気領域と区画されるとともに、濾材が充填された嫌気性の領域であり、この嫌気領域において濾材による固液分離によって汚泥の濃縮が行われる。この嫌気領域において汚泥を高濃度に濃縮する濃縮作用によって、汚泥の発生量を抑え汚泥の減量化を図ることが可能となる。具体的には、嫌気領域において汚泥濃度がおよそ１０，０００〜２０，０００ｍｇ／Ｌとなるように濃縮することによって汚泥の発生量をほぼ０（零）に抑えることが可能となる。また、このように濾材を用いて汚泥の濃縮を行う構成は、目詰まりや閉塞の発生を抑えたうえで高濃度の汚泥濃縮を行うのに有効である。また、好気領域においては、硝化の進行、更には硫黄酸化作用に伴ってｐＨが例えば３〜４まで低下する場合があるが、本発明のように好気領域の下流に嫌気領域を設け、嫌気的な雰囲気で固液分離を行うことによって、好気領域で一旦低下したｐＨを嫌気領域の脱窒作用や硫黄還元作用により中性付近（例えば６程度）まで回復させることが可能となる。これにより、被処理水の中和処理（ｐＨ調整）を行う薬注設備を新たに設ける必要がなく、したがって装置コストを抑えることが可能となる。
以上のように、請求項１に記載の水処理装置によれば、汚泥消化部の好気領域において汚泥の好気性消化を促進するとともに、汚泥消化部の嫌気領域において汚泥の発生量を抑えることによって、汚泥の減量化を図るともに、汚泥消化部を小容量にすることによって装置全体のコンパクト化を図ることができる。これにより、汚泥の効率的な処理を行うことが可能となる。
【０００７】
（本発明の第２発明）
前記課題を解決する本発明の第２発明は、請求項２に記載されたとおりの水処理装置である。
請求項２に記載のこの水処理装置では、請求項１の汚泥消化部は、好気領域において汚泥が好気性消化されたあとの水が、嫌気領域を上向流によって流通するように構成されている。すなわち、本発明では、被処理水が嫌気領域を上向きに流れる際に、当該被処理水中の汚泥が固液分離されるように構成するのが好ましい。このような構成によれば、被処理水中の汚泥のうち沈降性の汚泥は嫌気領域よりも下方に堆積し、浮遊性の汚泥を主体とする汚泥が濾材に流入することとなるため、被処理水が嫌気領域を下向きに流れる構成に比して濾材の負荷を抑えることが可能となる。
【０００８】
（本発明の第３発明）
前記課題を解決する本発明の第３発明は、請求項３に記載されたとおりの水処理装置である。
請求項３に記載のこの水処理装置は、請求項１または請求項２の構成において、更に、好気処理部及び好気汚泥移送手段を備える。
好気処理部は、汚泥分離部において汚泥が分離された後の水を好気処理する機能を有する。典型的には、接触材が充填された充填部に散気エアを供給する構成の処理部によって、本発明の好気処理部を構成することができる。好気汚泥移送手段は、好気処理部の好気汚泥（活性汚泥や生物膜）を汚泥消化部へ移送する機能を有する手段である。典型的には、エアリフト式のポンプ機構や、水位差による自然流れの原理（自然返送）を用いて本発明の好気汚泥移送手段を構成することができる。これにより、好気処理部の好気汚泥が汚泥消化部へ移送されるため、好気領域における汚泥の自己酸化作用に加えて、好気処理部から移送された好気汚泥中に多く含まれる原生動物や後生動物などの微生物の捕食作用によっても汚泥削減率（汚泥減量化率）を向上させることが可能となる。
なお、本発明において好気汚泥移送手段の構成に関しては、好気汚泥を好気処理部から汚泥消化部へ直接的に移送する構成を用いてもよいし、あるいは好気汚泥を好気処理部から一旦汚泥分離部へ移送した後、更に当該汚泥分離部から汚泥消化部へ間接的に移送する構成を用いてもよい。
【０００９】
（本発明の第４発明）
前記課題を解決する本発明の第４発明は、請求項４に記載されたとおりの水処理装置である。
請求項４に記載のこの水処理装置は、請求項３の好気汚泥移送手段は、第１の好気汚泥移送手段及び第２の好気汚泥移送手段を用いて構成されるようになっている。
第１の好気汚泥移送手段は、好気処理部の好気汚泥を汚泥分離部のうち汚泥移送手段の上流へ移送する機能を有する手段である。また、第２の好気汚泥移送手段は、前記の汚泥移送手段を用いて構成される。これにより、好気処理部の好気汚泥は、一旦汚泥分離部へ移送された後、更に当該汚泥分離部から汚泥消化部へ移送されることとなる。このような構成によれば、好気汚泥を好気処理部から汚泥消化部へ移送する手段として、汚泥分離部に既に設置されている汚泥移送手段を用いることができるため合理的である。
【発明の効果】
【００１０】
以上のように、本発明によれば、特に、汚泥消化部の好気領域において汚泥の好気性消化を促進するとともに、好気領域の下流の嫌気領域において汚泥の発生量を抑えるように水処理装置を構成することによって、当該水処理装置において汚泥の効率的な処理を行うことが可能となる。
【発明を実施するための最良の形態】
【００１１】
以下に、本発明における一実施の形態の排水処理装置の構成等を図面に基づいて説明する。なお、本実施の形態は、一般家庭等から排出される排水（被処理水）の処理を行う排水処理装置について説明するものである。
【００１２】
本発明における「水処理装置」としての排水処理装置１００の処理フローが図１に示される。
図１に示すように、本実施の形態の排水処理装置１００は、槽状に成形された槽本体１０１の内部に各種の浄化処理機構を収容している。大別すると、嫌気濾床槽１１０、汚泥消化槽１３０、接触ばっ気槽１５０、沈殿槽１７０、消毒槽１９０の各浄化処理機構が槽本体１０１に収容される。このような構成の槽本体１０１の内部に流入した汚水は、嫌気濾床槽１１０、接触ばっ気槽１５０、沈殿槽１７０、消毒槽１９０からなる第１の処理経路（本発明における「第１の処理経路」に対応）で順次浄化処理された後、槽本体１０１の外部へ放流される。また、汚泥消化槽１３０は、前記の第１の処理経路から独立した第２の処理経路（本発明における「第２の処理経路」に対応）に設置されており、汚水が嫌気濾床槽１１０で処理されたときに発生する汚泥を含む水（汚泥水）は、一旦汚泥消化槽１３０で処理された後に、第１の処理経路の嫌気濾床槽１１０へ返送される構成になっている。この汚泥消化槽１３０には、処理工程の順に対応して上流（図１中の右側）から好気消化部１３１、嫌気濾床部１４１が設置されている。なお、本実施の形態では、各槽において処理される汚水（被処理水）および当該汚水を処理する処理過程において流れる水を「被処理水」ないし「水」と記載する。
【００１３】
また、本発明における水処理装置の一実施の形態の排水処理装置１００の内部構造の具体例が図２に示される。
図２に示す例では、排水処理装置１００の槽本体１０１の内部に、図中左側から汚泥消化槽１３０、嫌気濾床槽１１０、接触ばっ気槽１５０、沈殿槽１７０、消毒槽１９０の順で各槽が配置されるようになっている。
【００１４】
図２に示すように、槽本体１０１に設けられた流入管１０２は、嫌気濾床槽１１０に接続されており、被処理水はこの流入管１０２を通じてまず嫌気濾床槽１１０に流入する。
嫌気濾床槽１１０は、被処理水中に含まれる夾雑物等の固形物の分離・除去、及び被処理水中の有機汚濁物質を嫌気処理（還元）する機能を有する処理槽である。この嫌気濾床槽１１０は、有機汚濁物質を嫌気処理（還元）する嫌気性微生物が付着する所定量の濾材１１２が濾床１１１に充填された構成を有する。この濾材１１２としては、例えば球状の濾材を好適に用いる。この嫌気処理によってＢＯＤの低減と汚泥の減量化が図られる。また、濾床１１１に充填された濾材１１２によって、被処理水中に含まれる夾雑物等の固形物の分離・除去が行われる。この嫌気濾床槽１１０における処理によって発生する汚泥が分離されたあとの水は、移流開口１１４を通じて接触ばっ気槽１５０へ移流する。一方、この嫌気濾床槽１１０における固形物の分離・除去処理によって発生する汚泥を含む水（汚泥水）は、エアリフト式のポンプである第１エアリフト１１３（汚泥移送用エアリフト）によって槽底部から抜き出されて、汚泥消化槽１３０の上流部（好気消化部１３１）へ移送される。このように、嫌気濾床槽１１０は、被処理水中の汚泥を分離する機能を有する処理槽であり、本発明における「汚泥分離部」に対応している。また、詳細については後述するが、汚泥消化槽１３０は、被処理水中の汚泥を消化する機能を有する処理槽であり、本発明における「汚泥消化部」に対応している。また、第１エアリフト１１３は、嫌気濾床槽１１０から汚泥消化槽１３０へ汚泥を移送する機能を有する移送手段であり、本発明における「汚泥移送手段」に対応している。
【００１５】
なお、本実施の形態のように濾材１１２を用いて固形物の分離・除去を行う構成は、ペーパーや髪の毛といった比較的粗大な夾雑物に対する除去効率が高く、したがって粗大な夾雑物によって第１エアリフト１１３に目詰まりが発生するのを防止することが可能である。仕様によっては、この嫌気濾床槽１１０にかえて、バッフル等を用いて固形物の分離・除去を単純な沈降分離によって行う夾雑物除去槽を用いることもできる。
【００１６】
接触ばっ気槽１５０は、嫌気濾床槽１１０で固液分離されたあとの水の好気処理を行う機能を有する処理槽である。この接触ばっ気槽１５０は、有機汚濁物質を好気処理（酸化）する好気性微生物が付着する所定量の接触材１５２が充填部１５１に充填され、また、この充填部１５１の下方に、エアリフト式のポンプである第２エアリフト１５３、エア散気用の第２散気装置１５４が設置された構成を有する。この接触ばっ気槽１５０で処理されたあとの水は、充填部１５１の下方に形成された開口部１５５を通じて沈殿槽１７０に移流する。このように、接触ばっ気槽１５０は、嫌気濾床槽１１０において汚泥が分離された後の水を第１の処理経路において好気処理する処理槽であり、本発明における「好気処理部」に対応している。
【００１７】
沈殿槽１７０は、接触ばっ気槽１５０で処理されたあとの水の固液分離を行う機能を有する処理槽である。沈殿槽１７０で固液分離されたあとの水（上澄水）は、当該沈殿槽１７０の上部から消毒槽１９０へ移流する。一方、接触ばっ気槽１５０における当該固液分離によって発生する固形物は、第２散気装置１５４からの散気エアによって形成される旋回流（水流）の作用により第２エアリフト１５３（循環用エアリフト）付近まで移送され、この第２エアリフト１５３によって嫌気濾床槽１１０へ返送（循環）される。
【００１８】
消毒槽１９０は、沈殿槽１７０から流入した水を消毒処理する機能を有する処理槽である。この消毒槽１９０は、消毒処理を行うための消毒剤（固形塩素剤）が充填された薬剤筒１９１を備えている。この消毒槽１９０において消毒処理された水は、槽本体１０１に設けられた放流管１０３を通じて槽本体１０１の外部へ放流される。
【００１９】
汚泥消化槽１３０では、上下方向に延在する区画部材１３３によって好気消化部１３１と嫌気濾床部１４１が区画されるようになっている。この区画部材１３３の上流側に好気消化部１３１が形成され、当該区画部材１３３の下流側に嫌気濾床部１４１が形成され、また当該区画部材１３３の下方に形成された開口部１３４を通じて好気消化部１３１と嫌気濾床部１４１とが連通される。
【００２０】
汚泥消化槽１３０の好気消化部１３１は、嫌気濾床槽１１０から第１エアリフト１１３によって移送された汚泥の好気性消化を行う機能を有する処理部である。この好気消化部１３１は、処理部にエア散気用の第１散気装置１３２が設置された構成を有する。被処理水は、好気雰囲気下において好気消化部１３１を下降することによって汚泥の好気性消化がなされる。このとき、好気消化部１３１に流入する汚泥の量は、嫌気濾床槽１１０へ流入する汚水の流入量に比して極めて少ないため、この好気消化部１３１の容量を適正に設定することによって、当該好気消化部１３１のＨＲＴ（水理学的滞留時間）を充分に確保することが可能となる。好気消化部１３１におけるＨＲＴ（水理学的滞留時間）が長くなることによって、いわゆる「汚泥の好気性消化」、すなわち汚泥の内生呼吸による自己酸化処理が促進され、汚泥の減量を行うことが可能となるとともに、好気消化部１３１を小容量化することによって装置全体のコンパクト化を図ることができる。この好気消化部１３１が、本発明における「好気性の好気領域」に相当する。
【００２１】
一方、汚泥消化槽１３０の嫌気濾床部１４１は、好気消化部１３１において汚泥の好気性消化がなされたあとの水を固液分離し、汚泥の濃縮を行う機能を有する処理部である。好気消化部１３１の底部から開口部１３４を通じて嫌気濾床部１４１へ移流した水は、嫌気雰囲気下において当該嫌気濾床部１４１を上向流によって上昇することによって汚泥の濃縮処理がなされる。この嫌気濾床部１４１は、所定量の濾材１４２が濾床１４３に充填された構成を有する。この濾材１４２としては、例えば濾材１１２と同様の球状の濾材を好適に用いる。被処理水は、濾床１４３を上向きに流れる際に、濾材１４２によって固液分離されて所望の汚泥濃度になるように濃縮される。例えば、汚泥濃度（ＭＬＳＳ）が、およそ１０，０００〜２０，０００ｍｇ／Ｌとなるように濃縮することができる。嫌気濾床部１４１によって汚泥をこのような高濃度に濃縮することによって、汚泥の発生量をほぼ０（零）に抑えることが可能となる。特に、本実施の形態のように濾材１４２を用いて濃縮を行う構成は、沈殿作用を用いた固液分離に比して高濃度の濃縮が可能であり、また膜分離作用を用いた固液分離に比して目詰まりや閉塞が起こり難いというメリットを有する。この嫌気濾床部１４１が、本発明における「嫌気性の嫌気領域」に相当する。
【００２２】
また、本実施の形態のように、汚泥消化槽１３０に嫌気濾床部１４１を設けることによって、被処理水のｐＨを好適に調整することが可能となる。具体的には、汚泥消化槽１３０に単に好気消化部１３１のみを設置する場合には、硝化の進行、更には硫黄酸化作用に伴ってｐＨが例えば３〜４まで低下する場合があるが、本実施の形態のように、嫌気濾床部１４１において嫌気的な雰囲気で固液分離を行うことによって、好気消化部１３１において一旦低下したｐＨを、嫌気濾床部１４１における脱窒作用や硫黄還元作用により中性付近（例えば６程度）まで回復させることが可能となる。このように、嫌気濾床部１４１が被処理水の中和処理（ｐＨ調整）機能を有するため、下流の嫌気濾床槽１１０や接触ばっ気槽１５０おける処理性能を維持するべく、被処理水の中和処理（ｐＨ調整）を行う薬注設備を新たに設ける必要がなく、装置コストを抑えるのに有効である。
上記構成のように好気消化部１３１の下流に嫌気濾床部１４１を設けることによって、好気消化部１３１において汚泥の好気性消化を促進するとともに、嫌気濾床部１４１において汚泥の発生量を抑えることができ、汚泥の効率的な処理を行うことが可能となる。
【００２３】
なお、上記構成において、接触ばっ気槽１５０の好気汚泥（活性汚泥や生物膜）は、汚泥消化槽１３０へ移送されるように構成されている。具体的には、接触ばっ気槽１５０の好気汚泥は、第２エアリフト１５３による移送作用、及び接触ばっ気槽１５０におけるばっ気作用により上昇した水位と、嫌気濾床槽１１０側の水位との水位差による自然流れ（移流開口１１４の逆流れ）の原理（自然返送）によって、２系統の移送流れで一旦嫌気濾床槽１１０へ移送される。このとき、第２エアリフト１５３及び移流開口１１４は、好気汚泥を接触ばっ気槽１５０から嫌気濾床槽１１０へと移送する移送手段として構成され、本発明における「第１の好気汚泥移送手段」に相当する。移送された当該好気汚泥は、その後、嫌気濾床槽１１０において発生した汚泥と混合された後、第１エアリフト１１３による移送作用によって汚泥消化槽１３０へ移送される。このとき、第１エアリフト１１３は、好気汚泥を嫌気濾床槽１１０から汚泥消化槽１３０へと移送する移送手段として構成され、本発明における「第２の好気汚泥移送手段」に相当する。このように、接触ばっ気槽１５０の好気汚泥は、第２エアリフト１５３及び第１エアリフト１１３の協働作用によって結果的に汚泥消化槽１３０へ移送される構成であり、これら第２エアリフト１５３及び第１エアリフト１１３によって、本発明における「好気汚泥移送手段」が構成される。
このような構成によれば、汚泥の自己酸化作用に加えて、接触ばっ気槽１５０から移送された好気汚泥（活性汚泥や生物膜）中に多く含まれる原生動物や後生動物などの微生物の捕食作用によっても汚泥削減率（汚泥減量化率）を向上させることが可能となる。
【００２４】
また、必要に応じては、嫌気濾床槽１１０の移流開口１１４近傍に専用のエアリフトを設け、自然流れによって接触ばっ気槽１５０から嫌気濾床槽１１０へ移流した好気汚泥をこの専用のエアリフトによって汚泥消化槽１３０へ移送する構成や、接触ばっ気槽１５０に専用のエアリフトを設け、接触ばっ気槽１５０の好気汚泥をこの専用のエアリフトによって直接的に汚泥消化槽１３０へ移送する構成などを採り得る。これにより、極力嫌気雰囲気下におかれない状態の好気汚泥を、汚泥消化槽１３０へ移送することが可能となり、汚泥消化槽１３０における汚泥削減率の更なる向上を図ることが可能とされる。
【００２５】
〔他の実施の形態〕
なお、本発明は上記の実施の形態のみに限定されるものではなく、種々の応用や変形が考えられる。例えば、上記実施の形態を応用した次の各形態を実施することもできる。
【００２６】
上記実施の形態では、第１の処理経路に設置された嫌気濾床槽１１０において固液分離された汚泥は、第２の処理経路に設置された汚泥消化槽１３０において汚泥の消化処理がなされた後、再び嫌気濾床槽１１０へ返送される構成について記載したが、本発明では、汚泥消化槽１３０の下流の返送先は嫌気濾床槽１１０に限定されず、当該返送先として第１の処理経路の他の処理領域を適宜選択することが可能である。
【００２７】
また、上記実施の形態では、接触ばっ気槽１５０の好気汚泥が汚泥消化槽１３０へ移送される構成について記載したが、本発明では、少なくとも嫌気濾床槽１１０において発生した汚泥を汚泥消化槽１３０において汚泥消化することによって汚泥の減量化を図ることが可能であり、必要に応じては接触ばっ気槽１５０から汚泥消化槽１３０への好気汚泥の移送が行われない構成を用いることもできる。
【００２８】
また、上記実施の形態では、汚泥消化槽１３０の嫌気濾床部１４１を上向流によって被処理水が流れる構成について記載したが、仕様によっては、嫌気濾床部１４１を下向流によって被処理水が流れる構成を採用することもできる。
【００２９】
また、上記実施の形態では、汚泥消化槽１３０に好気消化部１３１及び嫌気濾床部１４１を設ける場合について記載したが、本発明では、好気消化部１３１に相当する機能と、嫌気濾床部１４１に相当する機能を別々の槽に配置し、好気消化部１３１に相当する機能を有する槽の下流に、嫌気濾床部１４１に相当する機能を有する槽を配置する構成を用いることもできる。
【００３０】
また、上記実施の形態は、一般家庭等から排出される生活排水を処理する水処理技術を例にして説明したが、本発明は、生活排水をはじめ、厨房排水、産業廃水等の各種の被処理水を処理する水処理技術に適用され得る。
【図面の簡単な説明】
【００３１】
【図１】本発明における水処理装置の一実施の形態の排水処理装置１００の処理フローを示す図である。
【図２】本発明における水処理装置の一実施の形態の排水処理装置１００の内部構造の具体例を示す図である。
【符号の説明】
【００３２】
１００…排水処理装置
１０１…槽本体
１０２…流入管
１０３…放流管
１１０…嫌気濾床槽
１１１…濾床
１１２…濾材
１１３…第１エアリフト
１１４…移流開口
１３０…汚泥消化槽
１３１…好気消化部
１３２…第１散気装置
１４１…嫌気濾床部
１４２…濾材
１４３…濾床
１４４…移流開口
１５０…接触ばっ気槽
１５１…充填部
１５２…接触材
１５３…第２エアリフト
１５４…第２散気装置
１７０…沈殿槽
１９０…消毒槽
【図１】
2005329374.tif 000003
【図２】
2005329374.tif 000004